(57)【要約】【課題】比較的容易に、その意匠や装飾性を変更可能な遊技機設置島用の妻板が望まれていた。【解決手段】妻板１０の上部パネル１２の左右側面１９，２０および上端面２１に沿って、正面側からは見えないように埋め込まれた導光板取付用フレーム２７を設ける。導光板取付用フレーム２７は、挟持溝３３を有しており、挟持溝３３によって導光板１３の端部が着脱可能に挟持され、導光板１３は上部パネル１２に取り付けられている。【効果】導光板１３を取り外して、他の意匠の導光板を取り付けることにより、妻板１０の意匠や装飾内容を変更することができる。【選択図】図１
2008220840.tif 000002
【特許請求の範囲】
【請求項１】
遊技場における複数の遊技機が配列される遊技機設置島の一端に配置され、遊技機設置島の一端を装飾するための妻板であって、
正面形状が略矩形のベースパネルと、
ベースパネルと一体に形成されていて、ベースパネルから上方へ延び、正面形状が所定の形状をし、かつ、正面形状において、ベースパネルの左右側面よりも内側に入り込んだ左右側面を有する上部パネルと、
上部パネルの少なくとも左右側面に沿って、正面側からは見えないように埋め込まれた導光板取付用フレームとを備え、
前記導光板取付用フレームは、複数のＬＥＤが実装されたＬＥＤ基板が収容されたＬＥＤ基板収容部と、ＬＥＤ基板に実装された複数のＬＥＤが発する光を端面から入射させるように導光板の端部を挟持するための挟持溝とを有し、さらに、
前記上部パネルに埋め込まれた導光板取付用フレームの挟持溝に着脱可能に挟持されており、正面視において、上部パネルから少なくとも左右側方へ突出していて、上部パネルの少なくとも左右側方をＬＥＤの発する光を利用して装飾するための所定形状をした導光板を備えることを特徴とする遊技機設置島用妻板。
【請求項２】
前記上部パネルは、正面形状において、前記ベースパネルよりも幅が狭い縦長の矩形をしており、
前記導光板は、上部パネルの周囲に突出した炎形状の導光板を含むことを特徴とする、請求項１記載の遊技機設置島用妻板。
【請求項３】
前記上部パネルは、正面形状において、その上辺の幅がベースパネルの幅と同一であり、かつ、上部パネルの左右側辺は、上下方向中央部の上部パネルの幅が狭くなるように窪まされており、
当該窪まされた部分を含む領域に、前記導光板が配置されていることを特徴とする、請求項１記載の遊技機設置島用妻板。
【発明の詳細な説明】
【技術分野】
【０００１】
この発明は、遊技機設置島用の妻板に関する。
【背景技術】
【０００２】
遊技場においては、複数の遊技機（パチンコ機やパチスロ機など）が配列され、複数の遊技機を含む遊技機設置島が構成されている。そして、遊技機設置島の島端（一端および他端）には、島飾りまたは妻板と呼ばれる飾り具が配置されている。
一般に、島端に設置される飾り具のうち、厚みの厚いものは島飾り、厚みの薄いものは妻板と呼ばれることが多い。
【０００３】
従来の妻板の一例は、たとえば特許文献１、特許文献２または特許文献３に開示されている。
【特許文献１】意匠登録第１２６４９５７号公報
【特許文献２】意匠登録第１２８５２６７号公報
【特許文献３】意匠登録第１２９４４５９号公報
【発明の開示】
【発明が解決しようとする課題】
【０００４】
伝統的な妻板は、正面視矩形の単なる飾り板であったり、その上部に呼び出し用のランプ等が取り付けられた飾り板であった。
ところが、昨今は、ＬＥＤが安価に提供されるようになったため、妻板の正面や側辺に多数のＬＥＤを配列して、ＬＥＤを点灯・点滅させることにより、光の装飾を行う妻板が実用化されている（たとえば特許文献１）。また、ＬＥＤに加えて、導光板を取り付け、光の装飾効果を多彩にしたものも提案されている。
【０００５】
ところで、遊技場においては、通常、遊技機（パチンコ機やパチスロ機）の寿命は    半年程度である。たとえ人気のある遊技機であっても、半年もすると客が飽きるため、その稼働率が低下する。このため、遊技場では、およそ半年程度で遊技機を入れ換え、遊技場内を新装して、客の興味をひくようにしている。
遊技機設置島の一端に配置される妻板は、遊技場の設備であり、遊技機のように簡単に取り換えることができない。取り換えようとすれば改装費用等が極めて高くつき、現実的ではない。
【０００６】
このため、遊技機の入れ換えを行い、店内を改装した場合であっても、遊技機設置島の一端を装飾する妻板は、変更されることなく、継続的に用いられることになる。
本願出願人は、かかる背景の元に、妻板も、比較的容易にその意匠（装飾）を変更できれば、遊技機の入れ換えによる店内改装とともに、妻板も新規な形態になり、店内改装の効果を一層高めることができるであろうと考えた。
【０００７】
そして、本願出願人は、比較的容易に、その意匠や装飾性を変更可能な、新規な遊技機設置島用妻板を発明した。
この発明は、遊技機設置島用の妻板であって、ＬＥＤおよび導光板を利用することにより、従来にはない装飾効果を醸し出すことのできる新規な妻板を提供することを主たる目的とする。
【０００８】
この発明は、また、装飾用の導光板を容易に取り換え可能な遊技機設置島用妻板を提供することを他の目的とする。
【課題を解決するための手段】
【０００９】
請求項１記載の発明は、遊技場における複数の遊技機が配列される遊技機設置島の一端に配置され、遊技機設置島の一端を装飾するための妻板であって、正面形状が略矩形のベースパネルと、ベースパネルと一体に形成されていて、ベースパネルから上方へ延び、正面形状が所定の形状をし、かつ、正面形状において、ベースパネルの左右側面よりも内側に入り込んだ左右側面を有する上部パネルと、上部パネルの少なくとも左右側面に沿って、正面側からは見えないように埋め込まれた導光板取付用フレームとを備え、前記導光板取付用フレームは、複数のＬＥＤが実装されたＬＥＤ基板が収容されたＬＥＤ基板収容部と、ＬＥＤ基板に実装された複数のＬＥＤが発する光を端面から入射させるように導光板の端部を挟持するための挟持溝とを有し、さらに、前記上部パネルに埋め込まれた導光板取付用フレームの挟持溝に着脱可能に挟持されており、正面視において、上部パネルから少なくとも左右側方へ突出していて、上部パネルの少なくとも左右側方をＬＥＤの発する光を利用して装飾するための所定形状をした導光板を備えることを特徴とする遊技機設置島用妻板である。
【００１０】
請求項２記載の発明は、前記上部パネルは、正面形状において、前記ベースパネルよりも幅が狭い縦長の矩形をしており、前記導光板は、上部パネルの周囲に突出した炎形状の導光板を含むことを特徴とする、請求項１記載の遊技機設置島用妻板である。
請求項３記載の発明は、前記上部パネルは、正面形状において、その上辺の幅がベースパネルの幅と同一であり、かつ、上部パネルの左右側辺は、上下方向中央部の上部パネルの幅が狭くなるように窪まされており、当該窪まされた部分を含む領域に、前記導光板が配置されていることを特徴とする、請求項１記載の遊技機設置島用妻板である。
【発明の効果】
【００１１】
この発明によれば、ＬＥＤの発する光が導光板の端面から入射する。そのとき、導光板に任意の凹凸や模様等（導光板内を進む光を進行方向に交差方向へ反射させる溝等）を形成しておくことにより、ＬＥＤの発する光によって、導光板を用いた光装飾効果を実現することができる。
導光板は、導光板取付用フレームの挟持溝に挟持されているので、比較的容易に交換することができる。すなわち、導光板取付用フレームは、上部パネルの少なくとも左右側面沿いに配設されている。そして導光板取付用フレームから、導光板だけが取り外せるようになっている。妻板の意匠を変更したい場合には、導光板を取り外し、他の意匠が施された導光板を装着することにより、妻板全体の意匠が全く異なることになる。よって、遊技場の店舗改装等の際に、妻板全体を交換することなく、導光板のみの交換によって、安価に妻板の意匠変更ができ、店内改装を効果的に、かつ容易に行える。
【発明を実施するための最良の形態】
【００１２】
以下には、図面を参照して、この発明の実施形態について具体的に説明する。
図１は、この発明の第１の実施形態に係る妻板の正面図であり、図２はその妻板の右側面図であり、図３はその妻板の平面図であり、図４はその妻板の背面図である。
妻板１０は、正面形状が横長矩形のベースパネル１１と、ベースパネル１１と一体的に形成されていて、ベースパネル１１から上方へ延びている縦長矩形の上部パネル１２と、上部パネル１２の周囲に突出した炎形状の導光板１３とを含んでいる。
【００１３】
なお、図２および図３では、図示の便宜上、導光板１３は省略されている。
ベースパネル１１は、その下端に設けられ、左右方向に長手の巾木１４を含んでいる。巾木１４は、たとえばステンレス板で構成されており、妻板１０が遊技場の床に配置された際に、床のモップがけ等によって濡れたりしても全く問題のない構造とされている。巾木１４はベースパネル１１の下端部を構成しており、ベースパネル１１とビス止め、釘止め、接着等によって一体化されている。
【００１４】
ベースパネル１１および上部パネル１２は、木製または樹脂製である。ベースパネル１１と比較して、上部パネル１２は、正面形状において、ベースパネル１１よりも幅が狭い縦長の矩形をしている。
すなわち、ベースパネル１１には、その左側面１５の上端から内側（図１において右側）へ直角に延びるベース上端面１６を有する。同様に、ベースパネル１１は、その右側面１７の上端から内側（図１において左側）へ直角に延びるベース上端面１８を有する。上部パネル１２は、上述したように、縦長の矩形をしており、上下に長手の左側面１９、右側面２０および上端において水平に延びる上端面２１を有している。
【００１５】
この実施形態の特徴は、ベース上端面１６，１８、上部パネル１２の左側面１９、右側面２０および上端面２１に沿って、それぞれ、埋め込み用の溝２２〜２６が形成されていて、その埋め込み用の溝２２〜２６に、それぞれ、導光板取付用フレーム２７が埋設されていることである。
そして、導光板取付用フレーム２７には、後述する挟持溝が備えられており、その挟持溝に挟持されるように導光板１３が取り付けられていることである。この導光板１３は、必要に応じて取り外すことができ、図示のような炎形状の導光板１３に代えて、異なる意匠の導光板を装着することができる。
【００１６】
図５は、図１のＡ−Ａに沿う切断面図で、上部パネル１２の上端面２１沿いに形成された埋め込み用溝２６に埋め込まれた導光板取付用フレーム２７の断面構造と、その導光板取付用フレーム２７により挟持されている導光板１３の取付構造を説明するための図である。また、図６は、導光板取付用フレーム２７の拡大断面図である。
図５，６を参照して、上部パネル１２の上端面２１には、上端面２１沿いに、上端面２１から内方に窪むように、埋め込み用溝２６が形成されている。埋め込み用溝２６は、その断面形状が、導光板取付用フレーム２７の断面外形と同形状とされている。導光板取付用フレーム２７は、図５において、紙面に直交方向に、埋め込み用溝２６へ差し込まれて埋め込まれる。
【００１７】
導光板取付用フレーム２７は、たとえば、アルミニウムのモールドによって形られており、その内部に基板収容部２８を有する。より具体的には、基板収容部２８を構成する対向する内壁にそれぞれ形成された受け部２９に、ＬＥＤ基板３０が係止されることにより、基板収容部２８内にＬＥＤ基板３０が収容されている。
ＬＥＤ基板３０の上面には複数のＬＥＤ３１が実装されている。そして、各ＬＥＤ３１の発する光を、その端面３２から入射させるように、導光板１３が取り付けられている。より具体的には、導光板取付用フレーム２７には、挟持溝３３が形成されていて、この挟持溝３３によって、導光板１３は、その端部が着脱可能に挟持されている。そして、導光板１３の端部が挟持溝３３に挟持された状態で、導光板１３の端面３２がＬＥＤ３１と対向する。
【００１８】
ここで、導光板取付用フレーム２７には、その内部四隅に凹溝３４が形成されており、これによって、挟持溝３３にばね性が付与されている。
また、挟持溝３３の下端にはストッパ用段差３５が形成されていて、これにより、挟持溝３３に導光板１３を差し込む際に、導光板１３の差し込み深さを一定にできる。
導光板取付用フレーム２７は、上部パネル１２の上端面２１から突出しておらず、上部パネル１２内に埋設されて見えなくなっている。上端面２１から突出しているのは、導光板取付用フレーム２７に挟持された導光板１３のみである。このため、上端面２１から、支えを有さずに突出している導光板１３が光を受けて光るため、装飾効果が向上する。
【００１９】
また、導光板取付用フレーム２７の挟持溝３３の外側は、上部パネル２１内に収まっているため、導光板１３に矢印Ａ１で示すような面方向の力が加わり、導光板１３が揺れても、挟持溝３３により導光板１３の下端部はしっかりと挟持されており、導光板１３が脱落したりすることが防止されている。
埋め込み用溝２６の内側には、さらに、配線溝３６が連設されている。配線溝３６は、ＬＥＤ基板３０から延び出す配線を収容して、その配線を引き回すために用いられる溝である。なお、図５では、図示の便宜上、この配線は省略されている。
【００２０】
図７に、この発明の第１の実施形態に係る妻板１０の試作品であって、ＬＥＤを点灯させて導光板１３を光らせた状態の写真を示す。図７に示すように、導光板１３は、全体がほのかに光り、かつ、炎の形状につけた模様部分（溝状部や乱反射加工した外縁）が明瞭に光る。
図８は、この発明の第２の実施形態に係る妻板の正面図であり、図９はその妻板の右側面図であり、図１０はその妻板の平面図であり、図１１はその妻板の背面図である。
【００２１】
妻板４０は、正面形状が横長矩形のベースパネル４１と、ベースパネル４１と一体的に形成されていて、ベースパネル４１から上方へ延び、その左右側面が切り欠かれて窪んでいる上部パネル４２と、上部パネル４２の左右の窪みに配置された導光板４３とを含んでいる。
ベースパネル４１は、その下端に設けられ、左右方向に長手の巾木４４を含んでいる。巾木４４は、たとえばステンレス板で構成され、ベースパネル４１と一体化されている。      
【００２２】
ベースパネル４１および上部パネル４２は、木製または樹脂製の一体成形品である。上部パネル４２は、正面形状において、左右側方部が縦長に切り欠かれ、下端および上端に略三角形状に左右へ突出する突部４５，４６を有し、その中心部は縦長で幅の狭い形状をしている。
そして、上部パネル４２の左右両側に形成された切り欠き（窪み）に、導光板４３が配置されている。図８および図１１では、正面および背面から視認できる部分の導光板４３が、網かけで表わされている。
【００２３】
より具体的には、上部パネル４２の左側面４７に沿って、上下に延びる埋め込み用溝４８が形成されている。埋め込み用溝４８は、下方の突部４５および上方の突部４６に対応する位置においても、上下方向に直線状に形成されている。
同様に、上部パネル４２の右側面４９沿いに、上下方向に延びる埋め込み用溝５０が形成されている。埋め込み用溝５０も、下方の突部４５および上方の突部４６と対応する箇所においても、上下方向に延びるように形成されている。
【００２４】
そして、埋め込み用溝４８，５０には、それぞれ、導光板取付用フレーム５１が埋設されている。そして、導光板取付用フレーム５１に挟持されるように、導光板４３が取り付けられている。
図１２（Ａ）および（Ｂ）は、図８のＡ−ＡおよびＢ−Ｂに沿う断面図である。
図１２（Ｂ）に示すように、導光板取付用フレーム５１は、上部パネル４２の右側面４９から突出しておらず、上部パネル４２内に埋設されて見えなくなっているので、右側面４９から突出しているのは、導光板４３のみである。このため、右側面４９から、支えを有さずに突出している導光板４３が光を受けて光るため、装飾効果が向上する。
【００２５】
また、突部４６には、図１２（Ａ）に示すように、導光板が嵌まるスリット５２が形成されている。下方の突部４５も、同様の構成である。
導光板取付用フレーム５１の具体的な構成は、先に説明した導光板取付用フレーム２７と同様である。
この実施形態においても、導光板４３は、必要に応じて取り外すことができ、別の形状（たとえば、上部パネル４２の側方に突出したり、上方へ突出する導光板でもよい）や別の意匠（たとえば、導光板に形成する溝の模様を変えて、別意匠の光装飾のできるものなど）が施された導光板４３に取り換えることができる。
【００２６】
図１３は、この発明の第３の実施形態に係る妻板の正面図であり、図１４はその妻板の右側面図であり、図１５はその妻板の平面図であり、図１６はその妻板の背面図である。  第３の実施形態に係る妻板６０は、その構成がほぼ第２の実施形態に係る妻板４０と同等であり、対応する箇所には対応の参照符号を付し、重複した説明は省略する。妻板６０が、妻板４０と異なる点は、導光板４３の背面側を覆うように、上部パネル４２の左右両側の切り欠きが構成されていることである。
【００２７】
すなわち、上部パネル４２は、図１３に示すように、正面側においては、その左右両側に切り欠き６１，６２が形成されているが、図１６に示すように、背面側においては、切り欠きは形成されておらず、目隠し部６３が残されている。このため、正面側から視認できる導光板４３は、図１３において網かけがつけられた部分であり、比較的広い領域が視認できる。しかし、背面側から見ると、図１６において網かけがつけられた上下の小領域のみが視認できるだけである。
【００２８】
より具体的には、図１３のＡ−Ａに沿う断面図およびＢ−Ｂに沿う断面図を見ると、図１７（Ａ）および（Ｂ）のようになる。すなわち、導光板４３は、その裏面側が目隠し部６３で覆われており、導光板４３の光が背面側には漏れないようにされている。
この点が、第３の実施形態に係る妻板６０の特徴であり、その余の特徴は、第２の実施形態に係る妻板４０と同じである。すなわち、導光板４３は、別の形状や模様のものに取り換え可能である。
【００２９】
妻板６０を上述のようにしたのは、妻板６０が設置されたときに、その背面側には遊技機設置島に設けられた遊技機が配列されており、遊技機に向かって遊技をしている客のうち、妻板に隣接した遊技機で遊技をしている客は、妻板に設けられた導光板４３がたとえば目まぐるしく光る場合等に、眩しさを感じる可能性がある。
妻板６０を用いると、導光板４３の光は、妻板６０の背面側にはあまり漏れないので、客が遊技中に、妻板６０の導光板４３が発する光を眩しいと感じることがなくなる。
【００３０】
図１８に、この発明の第３の実施形態に係る妻板６０の試作品であって、ＬＥＤを点灯させて導光板４３を光らせた状態の写真を示す。図１８に示すように、導光板４３に描かれた模様により、光装飾を実現できる。また、導光板４３は、背面側からは、上方部および下方部を除き、見えないように目隠し部６３が機能していることが確認できる。
図１９に、この発明の第４の実施形態に係る妻板７０の試作品であって、ＬＥＤを点灯させて導光板４３を光らせた状態の写真を示す。上部パネル４２を、図１９に示す形状とし、かつ、導光板４３が、上部パネル４２の側方および上方から突出する形状としてもよい。この実施形態においても、導光板４３は、他の形状や模様のものに取り換え可能である。
【００３１】
図２０は、導光板取付用フレーム２７，５１の、他の構成例を示す断面図である。導光板取付用フレーム２７，５１は、図６に示す構造を有している旨説明したが、その外観形状は、図６のものに限らず、図２０の（Ａ）（Ｂ）（Ｃ）（Ｄ）（Ｅ）に示すような形状にしてもよい。
いずれの形状であっても、導光板取付用フレームはその内部に基板収容部２８を備え、挟持溝３３によって導光板の端部を挟持して保持することができる。
【００３２】
この発明は、以上説明した各実施形態に限定されるものではなく、請求項記載の範囲内において種々の変更が可能である。
【図面の簡単な説明】
【００３３】
【図１】この発明の第１の実施形態に係る妻板の正面図である。
【図２】図１の妻板の右側面図である。
【図３】図１の妻板の平面図である。
【図４】図１の妻板の背面図である。
【図５】図１のＡ−Ａに沿う切断面断面図である。
【図６】導光板取付用フレーム２７の拡大断面図である。
【図７】この発明の第１の実施形態に係る妻板の試作品の写真を示す。
【図８】この発明の第２の実施形態に係る妻板の正面図である。
【図９】図８の妻板の右側面図である。
【図１０】図８の妻板の平面図である。
【図１１】図８の妻板の背面図である。
【図１２】図８のＡ−ＡおよびＢ−Ｂに沿う断面図である。
【図１３】この発明の第３の実施形態に係る妻板の正面図である。
【図１４】図１３の妻板の右側面図である。
【図１５】図１３の妻板の平面図である。
【図１６】図１３の妻板の背面図である。
【図１７】図１３のＡ−ＡおよびＢ−Ｂに沿う断面図である。
【図１８】この発明の第３の実施形態に係る妻板の試作品の写真を示す。
【図１９】この発明の第４の実施形態に係る妻板の試作品の写真を示す。
【図２０】導光板取付用フレームの他の構成例を示す断面図である。
【符号の説明】
【００３４】
１０、４０、６０    妻板
１１、４１    ベースパネル
１２、４２    上部パネル
１３、４３    導光板
２２、２３、２４、２５、２６、４８、５０    埋め込み用溝
２７、５１    導光板取付用フレーム
２８    基板収容部
３０    ＬＥＤ基板
３１    ＬＥＤ
３３    挟持溝                                                              
【図１】
2008220840.tif 000003
【図２】
2008220840.tif 000004
【図３】
2008220840.tif 000005
【図４】
2008220840.tif 000006
【図５】
2008220840.tif 000007
【図６】
2008220840.tif 000008
【図８】
2008220840.tif 000009
【図９】
2008220840.tif 000010
【図１０】
2008220840.tif 000011
【図１１】
2008220840.tif 000012
【図１２】
2008220840.tif 000013
【図１３】
2008220840.tif 000014
【図１４】
2008220840.tif 000015
【図１５】
2008220840.tif 000016
【図１６】
2008220840.tif 000017
【図１７】
2008220840.tif 000018
【図２０】
2008220840.tif 000019
【図７】
2008220840.tif 000020
【図１８】
2008220840.tif 000021
【図１９】
2008220840.tif 000022